(57)【要約】【課題】電池などの重量物を複数個収納するような用途においても、台紙およびブリスターケースの変形の発生を最小限に抑制し、変形に起因する内容物の露出の問題を低減したスライド式ブリスターパックを提供する。【解決手段】商品収納用の凹部および両側辺に折返し部を有するブリスターケースと、下端側辺に突出部を有する台紙とからなるスライド式ブリスターパックにおいて、前記ブリスターケース上部に前記台紙挿入方向と同一方向に設けたツメ部を有し、前記台紙には前記ツメ部が挿入される孔部を有し、前記ブリスターケースの両側辺に形成された折返し部が、前記台紙に設けられた孔部よりも上方まで位置するように形成してあるスライド式ブリスターパックを提供する。【選択図】図１
2006137430.tif 000002
【特許請求の範囲】
【請求項１】
商品収納用の凹部および両側辺に折返し部を有するブリスターケースと、下端側辺に突出部を有する台紙とからなるスライド式ブリスターパックにおいて、
前記ブリスターケース上部に前記台紙挿入方向と同一方向に設けたツメ部を有し、
前記台紙には前記ツメ部が挿入される孔部を有し、
前記ブリスターケースの両側辺に形成された折返し部が、前記台紙に設けられた孔部よりも上方まで位置するように形成してあることを特徴とするスライド式ブリスターパック。
【請求項２】
前記台紙の縦方向長さが前記ブリスターケースの縦方向長さより長く、前記台紙の孔部が前記台紙を縦方向に二分割した位置付近に配置されたことを特徴とする請求項１記載のスライド式ブリスターパック。
【請求項３】
前記ブリスターケース下端部に、商品収納用の凹部と連なる脚部が形成されている請求項１又は請求項２のいずれかに記載のスライド式ブリスターパック。
【発明の詳細な説明】
【技術分野】
【０００１】
本発明は電池などを陳列するためのスライド式ブリスターパックに関するものである。
【背景技術】
【０００２】
電池などの重量物を複数個収納する商品をディスプレーする際、主にブリスターパックからなる商品パッケージが用いられる。このようなブリスターパックは、一般的に台紙と、商品収納部として凹部を有するブリスターケースの周辺を接着して構成されている（特許文献１参照）。
【０００３】
しかしながら、接着により構成したブリスターパックを用いた場合、商品パッケージ開封後は開封部分を閉じることができないため、開封後の商品を保管する点において不便が生じる。
【０００４】
一方で、ブリスターパックを開封し商品を取り出した後、ブリスターパックを閉じ、もとの状態に戻せるブリスターパックとして、スライド式のブリスターパックがある（特許文献２、３参照）。このようなスライド式ブリスターパックにおいて、ブリスターパック部分が台紙全面を覆わない場合、ブリスターケースおよび台紙の曲げ強さをある程度確保しておかないと、電池などの重量が大きな商品を収納した際に台紙に変形が生じる場合がある。この変形により、ブリスターケースと台紙の間に隙間が生じ、内容物が露出するなどの見栄えの面で悪影響を及ぼす問題が発生する。そのため、ブリスターパックが台紙全面を覆っていないスライド式ブリスターパックは、比較的軽量なものを収納する用途に用いられている。
【０００５】
このようなスライド式ブリスターパックのスライドの固定をブリスターケースに設けたツメ部と台紙に設けた孔部で行う場合（特許文献３）、孔部があるため台紙の強度が低下しやすく、上記のような台紙の変形が生じやすくなるという問題がある。したがって、電池などの重量物を複数個収納する用途などの用途には不向きであった。
【０００６】
【特許文献１】特開２００１−１２２３２９
【特許文献２】特開２００１−３０１８２３
【特許文献３】特開平１０−１２００２４
【発明の開示】
【発明が解決しようとする課題】
【０００７】
本発明は上記課題のような台紙の変形による問題を解決するためになされたものであり、具体的には電池などの重量物をスライド式ブリスターパックにて複数個収納するような用途においても、台紙の変形を最小限に抑制し、変形に起因する内容物の露出の問題を解決するためになされたスライド式ブリスターパックおよび、スライド式ブリスターパックを提供するものである。
【課題を解決するための手段】
【０００８】
本発明は、図１、図２および図３に示すごとく、商品収納用の凹部および両側辺に折返し部を有するブリスターケースと、下端側辺に突出部を有する台紙とからなるスライド式ブリスターパックにおいて、前記ブリスターケース上部に前記台紙挿入方向と同一方向に設けたツメ部を有し、前記台紙には前記ツメ部が挿入される孔部を有し、前記ブリスターケースの両側辺に形成された折返し部が、前記台紙に設けられた孔部よりも上方まで位置するように形成してあることを特徴とする。
【０００９】
前記台紙の縦方向長さが前記ブリスターケースの縦方向長さより長く、前記台紙の孔部が前記台紙を縦方向に二分割した位置付近に配置されている。
【００１０】
前記ブリスターケース下端部に、商品収納用の凹部と連なる脚部が形成されている。
【発明の効果】
【００１１】
本発明によれば、電池などの重量物を複数個収納するような用途においても、台紙の変形を最小限に抑制し、変形に起因する内容物が露出するなどの見栄えの問題を解決することができる。
【発明を実施するための最良の形態】
【００１２】
以下、本発明のスライド式ブリスターパックについて述べる。
【００１３】
ブリスターケース上部に台紙挿入方向と同一方向に形成したツメ部を有し、前記台紙には前記ブリスターケース上部に設けられたツメ部が挿入される孔部を有していることによって、一旦挿入した台紙をブリスターケース上部において固定することができる。台紙挿入方向と同一方向にツメ部を設けて固定することで、一旦挿入されたブリスターケースの戻りを確実に防止することができる。また、台紙の下端部に設けた突出部によりブリスターケースおよびその凹部に収納された商品が支えられるため、電池などの重量物を収納した場合にでも確実に保持できる。
【００１４】
また、ブリスターケースの側辺に形成した折返し部が、前記ブリスターケース上部に設けられたツメ部よりも上方まで位置するように形成してあることによって、台紙の変形の基点となる孔部においての曲げ強度を側面から補強することとなり、ブリスターケースおよび台紙の曲げ強さを確保し、商品陳列の際にブリスターケースもしくは台紙の変形を防止できるとともに、隙間の発生や、凹部内部に収納した商品が露出するなどの問題を防止することができる。
【００１５】
その台紙の縦方向長さがブリスターケースの縦方向長さより長く、前記台紙の孔部が前記台紙を縦方向に二分割した位置付近に配置されていることが好ましい。詳細には、台紙がブリスターケースよりも縦方向において１．２倍から２．０倍の長さを有している場合、ブリスターケースの使用量を削減できるため環境負荷の少ないスライド式ブリスターパックを提供できるため好ましい。
【００１６】
また、ブリスターケース本体の商品収納部の下端部に、商品重量を負担する脚部が下向きに膨出形成されていることにより、商品収納部に比較的重量の大きな商品を収納した場合においても、下突出に変更することを防ぐとともに、縦置きの場合の商品陳列も可能とすることができる。
【００１７】
このように構成されたスライド式ブリスターパックの商品収納用の凹部に、複数個の商品を熱収縮性フィルムにより固定した包装商品を収納することによって、複数個の商品を凹部に収納した場合の凹部内での商品の遊びを防ぐことができるため、ブリスターパックの衝撃による変形を抑制することが出来る。また、凹部内に複数個の商品のフェイス面を揃えて配置することが可能となるため外観を向上させる効果を得ることも出来る。
【００１８】
本発明に用いるブリスターケースの材質として主にポリエチレンテレフタレート（ＰＥＴ）、ポリスチレン（ＰＳ）、ポリビニルクロライド（ＰＶＣ）などが挙げられるが、それらに限られるものではない。ここで、ブリスターケースの厚みは０．２ｍｍ〜０．６ｍｍ程度であるものを用いることが好ましい。ブリスターケースの厚みが０．２ｍｍよりも薄い場合、ブリスターケースの強度が弱くなるためブリスターケースの変形による内容物の露出の問題が生じることとなる。また、厚みが０．６ｍｍよりも厚い場合には、ブリスターケース上部に形成したツメ部の変形が困難となるため、台紙に設けた孔部へのブリスターケースのツメ部の挿入が困難となるとともに、挿入した際にも台紙が変形する。
【００１９】
台紙の材質には厚紙を使用したものを主に用いることができるが、それに限られるものではない。ここで台紙の厚みは０．３ｍｍ〜１．０ｍｍ程度のものを用いることができるが、電池などの重量物を商品として収納する場合には、商品重量との関係から０．５ｍｍ以上の厚みを有することが好ましい。
【００２０】
本発明においてスライド式ブリスターパックの台紙のスライドを止めるために用いるブリスターケース上部に形成されたツメ部の形状は、特に限定されるものではないが、三角もしくは半円形など、先端になるに従って、幅が小さくなっていることが好ましい。このように先端の幅が小さくなっていることで、台紙に設けられた孔部にツメ部を挿入しやすくなるためである。このツメ部の大きさは、ブリスターケースの大きさによって適宜変更されるものであるが、幅４ｍｍ〜１５ｍｍが好ましく、長さ４ｍｍ〜１０ｍｍであることが好ましく台紙の孔部への挿入の容易さの点から孔部に対して６０％〜９０％程度の幅を有していることが好ましい。
【００２１】
このように形成されるツメ部の個数は特に限られるものではないが、商品収納の凹部を
より強固に台紙に固定するためには、２個設けられていることが好ましい。
【実施例】
【００２２】
次に、実施例を挙げて本発明をより具体的に説明する。ただし、本発明はそれらの実施例にのみ限定されるものではない。
【００２３】
実施例では、スライド式ブリスターパックの構成例について説明する。図１、図２ないし図３において、本発明に係るスライド式ブリスターパック１は、商品収納用凹部を備えたブリスターケース５と、商品収納用凹部３の背面開口を塞ぐ台紙６とからなり、商品収納用凹部の上方に、商品陳列用のフックに支持されて吊り下げ陳列されるための吊り下げ穴部７が設けてあるスライド式のブリスターパックである。
【００２４】
台紙６は厚さ０．５ｍｍの厚紙を用い、縦方向長さＬ３が１２０ｍｍ、幅６５ｍｍで形成されており、ブリスターケース５は厚さ０．５ｍｍの無色透明なポリエチテンレテフタレートを用い、ツメ部および折返し部を除くと縦方向長さＬ１が７０ｍｍである。ここで台紙６の縦方向長さＬ３はブリスターケース５の縦方向長さＬ１の約１．７倍の縦方向長さを有している。このブリスターケース５の上部には縦７ｍｍ、幅１０ｍｍの上部三角形とした２個のツメ部８を有している。台紙の下端両側辺にはブリスターケース５のスライドを止めるための縦５ｍｍ、幅２ｍｍの突出部９を両端に有しており、台紙６にはブリスターケース５のツメ部８に対応した位置に孔部１１を有している。このブリスターケース５の両側辺を７ｍｍ折返して形成された折返し部１０を有しており、この折返し部１０の縦方向長さは９０ｍｍで形成されている。
【００２５】
また、ブリスターケース５の商品収納用凹部３は、縦長直方体状に膨出形成されており、商品収納部用凹部３の下端には、商品重量を負担する脚部１２が下向きに膨出形成されている。
【００２６】
以上のような構成によって、変形が少なく、環境負荷が小さく、内容物の露出などによる見栄えの問題が生じないスライド式ブリスターパック１を作製した。
【図面の簡単な説明】
【００２７】
【図１】本発明のスライド式ブリスターパックの正面図である。
【図２】本発明のスライド式ブリスターパックの背面図である。
【図３】本発明のスライド式ブリスターパックの側面図である。
【符号の説明】
【００２８】
１    スライド式ブリスターパック
３    商品収納用凹部
５    ブリスターケース
６    台紙
７    吊り下げ孔部
８    ツメ部
９    突出部
１０  折返し部
１１  孔部
１２  脚部
【図１】
2006137430.tif 000003
【図２】
2006137430.tif 000004
【図３】
2006137430.tif 000005